(57)【要約】【課題】誤動作をなくして所定のタイミングで所定の合わせ動作が確実に実行される信頼性の高い釣用自動合わせ装置を提供することにある。【解決手段】棒体を第２弾性手段の付勢力に抗して回転させて第１作用凸部を第２通路側に位置させ、棒体を第１弾性手段の付勢力に抗して他方向に向けて移動させて第１作用部材を他方向に移動させ、その第１係合部をストッパ部材の第２係合部に係合させ、棒体を一方向に戻してセット状態とし、魚が餌を食うことによって棒体に引張力が作用すると、棒体はその第１作用凸部を第１通路を介して移動させながら他方向に移動し、第１作用凸部が第２作用部材の第２作用凸部に作用して第２作用部材を移動させ、ストッパ部材を移動させて第１係合部と第２係合部の係合を解除させ、棒体を第１弾性手段の付勢力によって一方向に移動させて自動合わせを実行させるものである。【選択図】  図１
2004313106.tif 000002
【特許請求の範囲】
【請求項１】
ハウジングと、
上記ハウジングを一方向から他方向に向けて移動可能な状態で貫通・配置され第１弾性手段によって一方向に付勢されると共に第１作用凸部を備えた棒体と、
上記棒体に対して同軸であって移動可能に取り付けられ第１係合部を備えた第１作用部材と、
上記ハウジングに取り付けられ上記第１作用部材の第１係合部に係合する第２係合部を備えたストッパ部材と、
上記ハウジングに移動可能な状態で取り付けられ第２作用凸部を備えた第２作用部材と、
上記ハウジングに取り付けられ上記棒体の第１作用凸部に作用して棒体を回転・付勢して上記第１作用凸部を上記ハウジングに形成された第１通路と第２通路の内第１通路側に位置させる第２弾性手段と、を具備し、
上記棒体を上記第２弾性手段の付勢力に抗して回転させて第１作用凸部を第２通路側に位置させ、棒体を上記第１弾性手段の付勢力に抗して他方向に向けて移動させることにより上記第１作用部材を他方向に移動させ、その第１係合部を上記ストッパ部材の第２係合部に係合させ、上記棒体を一方向に戻してセット状態とし、
魚が餌を食うことによって上記棒体に引張力が作用すると、棒体はその第１作用凸部を第１通路を介して移動させながら他方向に移動し、上記第１作用凸部が上記第２作用部材の第２作用凸部に作用して第２作用部材を移動させ、それによって、ストッパ部材を移動させて上記第１係合部と第２係合部の係合を解除させ、上記第１作用部材と棒体を上記第１弾性手段の付勢力によって一方向に移動させることにより自動合わせを実行させるようにしたことを特徴とする釣用自動合わせ装置。
【請求項２】
請求項１記載の釣用自動合わせ装置において、
上記棒体は復帰用の第３弾性手段によってセット作業終了後自動的に復帰することを特徴とする釣用自動合わせ装置。
【請求項３】
請求項１又は請求項２記載の釣用自動合わせ装置において、
釣用天秤に取り付けて使用するものであることを特徴とする釣用自動合わせ装置。
【請求項４】
請求項１又は請求項２記載の釣用自動合わせ装置において、
投げ釣り用の錘として使用するものであることを特徴とする釣用自動合わせ装置。
【請求項５】
請求項１又は請求項２記載の釣用自動合わせ装置において、
浮き釣り用の浮きとして使用するものであることを特徴とする釣用自動合わせ装置。
【請求項６】
請求項５記載の釣用自動合わせ装置において、
上記第１作用部材に連動する目印部材が取り付けられていることを特徴とする釣用自動合わせ装置。
【請求項７】
請求項５又は請求項６記載の釣用自動合わせ装置において、
セット状態で反転させて投げる時にセット状態が不用意に解除されることを防止するストッパ手段が設けられていることを特徴とする釣用自動合わせ装置。
【発明の詳細な説明】
【０００１】
【発明が属する技術分野】
本発明は、魚が餌に食い付いて下方へ引いた瞬間に自動的に合わせるように構成された釣用自動合わせ装置に係り、特に、誤動作を少なくして装置の信頼性を高めることができるように工夫したものに関する。
【０００２】
【従来の技術】
この種の釣用自動合わせ装置を開示するものとしては、例えば、特許文献１がある。この特許文献１は本件特許出願人によるものである。
【０００３】
【特許文献１】
特公平４−７５７３７号公報
【０００４】
【発明か解決しようとする課題】
上記従来の構成によると次のような問題があった。
すなわち、従来の釣用自動合わせ装置の場合には、誤動作が発生することが多くて信頼性に欠けるという問題があった。具体的には、例えば、投げ釣りの場合には、釣用自動合わせ装置を組み込んだいわゆる天秤仕掛けを遠投するわけであるが、その際、遠投時の衝撃や着水時の衝撃によって合わせ動作が不用意に実行されてしまうことがある。この場合には、魚が餌を食う時点では既に合わせ動作が終了しているために、合わせることができなくなってしまうものである。
【０００５】
本発明はこのような点に基づいてなされたものでその目的とするところは、誤動作をなくして所定のタイミングで所定の合わせ動作が確実に実行される信頼性の高い釣用自動合わせ装置を提供することにある。
【０００６】
【課題を解決するための手段】
上記目的を達成するべく本願発明の請求項１による釣用自動合わせ装置は、ハウジングと、上記ハウジングを一方向から他方向に向けて移動可能な状態で貫通・配置され第１弾性手段によって一方向に付勢されると共に第１作用凸部を備えた棒体と、上記棒体に対して同軸であって移動可能に取り付けられ第１係合部を備えた第１作用部材と、上記ハウジングに取り付けられ上記第１作用部材の第１係合部に係合する第２係合部を備えたストッパ部材と、上記ハウジングに移動可能な状態で取り付けられ第２作用凸部を備えた第２作用部材と、上記ハウジングに取り付けられ上記棒体の第１作用凸部に作用して棒体を回転・付勢して上記第１作用凸部を上記ハウジングに形成された第１通路と第２通路の内第１通路側に位置させる第２弾性手段と、を具備し、上記棒体を上記第２弾性手段の付勢力に抗して回転させて第１作用凸部を第２通路側に位置させ、棒体を上記第１弾性手段の付勢力に抗して他方向に向けて移動させることにより上記第１作用部材を他方向に移動させ、その第１係合部を上記ストッパ部材の第２係合部に係合させ、上記棒体を一方向に戻してセット状態とし、魚が餌を食うことによって上記棒体に引張力が作用すると、棒体はその第１作用凸部を第１通路を介して移動させながら他方向に移動し、上記第１作用凸部が上記第２作用部材の第２作用凸部に作用して第２作用部材を移動させ、それによって、ストッパ部材を移動させて上記第１係合部と第２係合部の係合を解除させ、上記第１作用部材と棒体を上記第１弾性手段の付勢力によって一方向に移動させることにより自動合わせを実行させるようにしたことを特徴とするものである。
又、請求項２による釣用自動合わせ装置は、請求項１記載の釣用自動合わせ装置において、上記棒体は復帰用の第３弾性手段によってセット作業終了後自動的に復帰することを特徴とするものである。
又、請求項３による釣用自動合わせ装置は、請求項１又は請求項２記載の釣用自動合わせ装置において、釣用天秤に取り付けて使用するものであることを特徴とするものである。
又、請求項４による釣用自動合わせ装置は、請求項１又は請求項２記載の釣用自動合わせ装置において、投げ釣り用の錘として使用するものであることを特徴とするものである。
又、請求項５による釣用自動合わせ装置は、請求項１又は請求項２記載の釣用自動合わせ装置において、浮き釣り用の浮きとして使用するものであることを特徴とするものである。
又、請求項６による釣用自動合わせ装置は、請求項５記載の釣用自動合わせ装置において、上記第１作用部材に連動する目印部材が取り付けられていることを特徴とするものである。
又、請求項７による釣用自動合わせ装置は、請求項５又は請求項６記載の釣用自動合わせ装置において、セット状態で反転させて投げる時にセット状態が不用意に解除されることを防止するストッパ手段が設けられていることを特徴とするものである。
【０００７】
すなわち、本願発明による釣用自動合わせ装置は、棒体を上記第２弾性手段の付勢力に抗して回転させて第１作用凸部を第２通路側に位置させ、次いで、棒体を上記第１弾性手段の付勢力に抗して他方向に向けて移動させることにより、上記第１作用部材を他方向に移動させ、その第１係合部を上記ストッパ部材の第２係合部に係合させ、上記棒体を一方向に戻してセット状態とし、魚が餌を食うことによって上記棒体に引張力が作用すると、棒体はその第１作用凸部を第１通路を介して移動させながら他方向に移動し、上記第１作用凸部が上記第２作用部材の第２作用凸部に作用して第２作用部材を移動させ、それによって、ストッパ部材を移動させて上記第１係合部と第２係合部の係合を解除させ、上記第１作用部材と棒体を上記第１弾性手段の付勢力によって一方向に移動させることにより自動合わせを実行させるようにしたものであり、それによって、誤動作が極めて少ない高い信頼性の釣用自動合わせ装置とすることができる。
その際、上記棒体を復帰用の第３弾性手段によってセット作業終了後自動的に復帰させるように構成することが考えられる。
又、本願発明による釣用自動合わせ装置は、例えば、釣用天秤に取り付けて使用する、投げ釣り用の錘として使用する、浮き釣り用の浮きとして使用することが考えられる。
又、浮き釣り用の浮きとして使用する場合において、上記第１作用部材に連動する目印部材を取り付けることが考えられる。
又、浮き釣り用の浮きとして使用する場合において、セット状態で反転させて投げる時にセット状態が不用意に解除されることを防止するストッパ手段を設けることが考えられる。
【０００８】
【発明の実施の形態】
以下、図１乃至図８を参照して本発明の第１の実施の形態を説明する。この第１の実施の形態は、本願発明による釣用自動合わせ装置を投げ釣り用の錘と一体化させた例を挙げて示すものである。
図１乃至図８は、本実施の形態による釣用自動合わせ装置の構成を動作順に示すものである。まず、図１及び図２を参照して本実施の形態による釣用自動合わせ装置の構成を説明する。図１は釣用自動合わせ装置の正面図であり図２は側面図である。
まず、ハウジング１があり、このハウジング１は合成樹脂製であって、内側に中空部３を備えている。又、上記ハウジング１の先端部（図１中下端部）には図示しない錘が内蔵されており、よって、ハウジング１自体が投げ釣り時の遠投用錘として機能することになる。
【０００９】
上記ハウジング１の中空部３内であって中心部には金属製の棒体５が貫通・配置されていて、軸方向に移動可能な状態で設置されている。上記中空部３内であって棒体５の外周側には、鍔部材７が固着されていて、この鍔部材７とハウジング１の先端壁との間には、第１弾性手段としてのコイルスプリング９が装着されている。棒体５はこのコイルスプリング９によって、図１及び図２中上方に付勢されている。又、図１に示すように、上記鍔部材７には第１作用凸部としての作用ピン１１が突設されている。又、上記鍔部材７とコイルスプリング９との間であって上記棒体５の外周には第１作用部材としての鍔状作用部材１３が軸方向に移動可能な状態で配置されていて、この鍔状作用部材１３には第１係合部としての作用ピン１４が突設されている。この作用ピン１４の突設位置は、上記作用ピン１１の突設位置に対して略９０°だけ周方向にずれている。
【００１０】
又、上記棒体５の図１及び図２中上端にはリング部５ａが設けられていて、該リング部５ａには道糸２が連結されている。又、図１及び図２中棒体５の下端にもリング部５ｂが設けられていて、該リング部５ｂにはハリス糸４が連結されることになる。
【００１１】
又、上記ハウジング１の側面側には、図２に示すように、略棒状をなすストッパ部材１５が設置されている。このストッパ部材１５は、長手方向略中間位置に第２係合部としての係止部１７を備えている。又、ストッパ部材１５の図中上端部はハウジング１の正面側に向けて折り曲げられていて折曲部１８となっている。又、上記ストッパ部材１５の図中下端はハウジング１側より突設された軸部１６に回転可能に支持されている。又、上記ハウジング１の正面側をみてみると、第２作用部材としての棒状作用部材１９が設置されている。上記棒状作用部材１９は、ハウジング１の正面側において軸方向に沿って所定量だけ移動可能な状態で取り付けられている。そして、その上端にはリング部２０が形成されていて、このリング部２１が既に説明したストップ部材１５の上端部の折曲部１８に挿通されている。又、上記棒状作用部材１９の長手方向の略中間位置には第２作用凸部としての作用ピン２１が突設されている。
【００１２】
又、ハウジング１の正面側には第２弾性手段としてのコイルスプリング２３が取り付けられている。このコイルスプリング２３によって、棒体１の鍔部材７に取り付けられた作用ピン１１を介して、棒体１を回転・付勢し、上記作用ピン１１を、枠体１の正面側に形成された第１通路２５、第２通路２７の内、第１通路２５側に位置させるようにしているものである。
【００１３】
以上の構成を基にその作用を説明する。
まず、セット前は図１及び図２に示すような状態にあり、その状態でハリス糸４の先端に取り付けられている図示しない釣針に餌を取り付ける。次に、棒体５をコイルスプリング２３のスプリング力に抗して回転させて、作用ピン１１を第２通路２７側に位置させる。その状態で棒体１をコイルスプリング９のスプリング力に抗してハリス糸４側に向けて押し込む。この棒体５の押し込み動作によって、棒体５に固着されている鍔部材７と鍔状作用部材１３も押し込まれていく。そして、鍔状作用部材１３の作用ピン１４がストッパ部材１５のストッパ部１７を通過した後にストッパ部１７に係合する。その状態を図３及び図４に示す。
【００１４】
次に、棒体５を道糸２側に引き戻す。棒体５はそれによって、図１及び図２に示す状態に戻る。
尚、この棒体１の引き戻し動作については敢えて行わなくても良い。つまり、釣用自動合わせ装置を遠投する際の衝撃によって棒体５は自動的に元の状態に復帰するからである。
又、棒体５が元の状態に復帰した様子を図５及び図６に示す。棒体５の復帰によって棒体５に固着されている鍔部材７も復帰しているが、鍔状作用部材１３は押し込まれた状態に保持されている。これは、鍔状作用部材１３の作用ピン１４がストッパ部材１５のストッパ部１７に係合しているからである。
【００１５】
図５及び図６に示す状態がセット状態である。繰り返しになるが、図６に示すように、棒体５は元の状態に復帰しているが、鍔状作用部材１３はハリス糸４側に押し込められていて、その作用ピン１４が棒状ストッパ部材１５のストッパ部１７に係合している。それによって、コイルスプリング９が蓄勢された状態になっている。
【００１６】
次に、上記セット状態で仕掛けを遠投する。該遠投によって仕掛けは離間した海底に着床する。その状態で魚のあたりを待つことになる。そして、魚が餌を食ってハリス糸４を引っ張ると次のような動作が行われる。すなわち、ハリス糸４が引っ張られるとそれに連結されている棒体５も引っ張られる。棒体５が引っ張られることにより、鍔部材７の作用ピン１１が移動して棒状作用部材１９の作用ピン２１に作用する。その様子を図７及び図８に示す。それによって、棒状作用部材１９を下方に所定量だけ移動させる。この棒状作用部材１９の動作によって、棒状作用部材１９のリング部２０が、棒状ストッパ部材１５の折曲部１８に作用して、棒状ストッパ部材１５を軸部１６を支点として図８中反時計方向に所定量だけ回動させる。この棒状ストッパ部材１５の回動によって、鍔状作用部材１３の作用ピン１４の棒状ストッパ部材１５のストッパ部１７に対する係合が解除される。上記鍔状作用部材１３の作用ピン１４の棒状ストッパ部材１５のストッパ部１７に対する係合が解除されることにより、鍔状作用部材１３と棒体５がコイルスプリング９のスプリング力によって勢い良く上方に復帰していく。それによって、魚の口に対する所望の合わせ動作が実行されるものである。
尚、自動合わせ動作が実行された後の状態は図１及び図２に示す状態と同じである。
【００１７】
以上この実施の形態によると次のような効果を奏することができる。
まず、誤動作が少なくて所望の合わせ動作を確実に実行させることができるものである。これは、次のような理由による。誤動作、すなわち、不必要に合わせ動作が実行されてしまう誤動作は、通常、遠投時や着水時に発生してしまう。しかしながら、本実施の形態の場合には、遠投時や着水時に棒体５が道糸２側に戻る動作は行われるが、それ以上の動作が実行されることはない。つまり、実際に魚が餌を食ってハリス糸４を引っ張らない限り、合わせ動作が実行されることはないものである。したがって、自動合わせ装置としての信頼性が大幅に向上するものである。
又、セットするための操作も簡単である。すなわち、棒体５を把持して第２通路２７側に回転させると共に押し込めばよいからである。又、その後の棒体１の戻し動作については、実行してもよいし、仮に、実行しなくても、遠投することにより自動的に行われるものである。
又、この実施の形態における釣用自動合わせ装置は、それ自体が遠投用の錘としても機能する構成になっており、よって、投げ釣り時に別途錘を用意する必要はなく、仕掛けに要するコストを低減させることができる。
又、仕掛け自体も簡単であるので、遠投時の抵抗も少なく、遠投距離を延長することが可能になる等、使い勝手が向上するものである。
【００１８】
次に、図９乃至図１４を参照して本発明の第２の実施の形態を説明する。前記第１の実施の形態の場合は、投げ釣りを例に挙げ該投げ釣り時の遠投用錘として本願発明による釣用自動合わせ装置を使用した例を説明したが、この第２の実施の形態の場合には、浮き釣りを例に挙げて説明するものであり、その浮き釣り用の浮きとして本願発明による釣用自動合わせ装置を適用したものである。以下、説明する。
【００１９】
釣用自動合わせ装置としての構成は前記第１の実施の形態の場合と同じであるので、同一部分には同一符号を付して示しその説明は省略すると共に異なる部分の説明を行う。
まず、棒体５であるが、この第２の実施の形態の場合には、第３弾性手段としてのコイルスプリング１０１によって常時上方に付勢されるように構成されている。よって、所定のセット動作を行った後には、上記コイルスプリング１０１のスプリング力によって自動的に上方に復帰するものである。
【００２０】
次に、棒状目印部材１０３が新たに取り付けられている。この棒状目印部材１０３は、図１０に示すように、下端にリング部１０４を備えていて、該リング部１０４を介して、鍔状作用部材１３の作用ピン１４に係合・連結されている。そして、非セット時には、図９及び図１０に示すように、鍔状作用部材１３の上昇に伴って上昇している。これに対して、セット時には、図１１及び図１２に示すように、鍔状作用部材１３の下降に伴って下降している。よって、棒状目印部材１０３の位置によって、セット状態にあるか否かを目視によって確認することができるものである。
【００２１】
又、本実施の形態においては、上記構成をなす釣用自動合わせ装置を浮きとして使用するわけであるが、その取付構造は次のようなものである。すなわち、釣用自動合わせ装置の棒体１の下端に接続金具１０５を連結し、該接続金具１０５の下端にリング１０７を取り付けておく。一方、道糸１０９があり、この道糸１０９を上記リング１０７に通す。それによって、釣用自動合わせ装置が道糸１０９側に取り付けられたことになる。又、道糸１０９には浮き止め１１１が取り付けられていて、上記釣用自動合わせ装置の位置はこの浮き止め１１１によって規制されることになる。
【００２２】
又、浮き釣り時には、釣用自動合わせ装置を図１１及び図１２に示すような状態にセットして、これを投げるわけであるが、その際、釣用自動合わせ装置が天地逆向きとなる。そのような状態でセット状態が不用意に解除されることを防止するために、図１３及び図１４に示すストッパ手段１２１が設けられている。このストッパ手段１２１は、回転可能に取り付けられた横軸１２３と、この横軸１２３の外側に取り付けられた錘１２５と、内側に取り付けられたストッパ軸１２７とから構成されている。
【００２３】
そして、セットした状態で遠投しようとすると、図１４に示すように、釣用自動合わせ装置が天地逆向きとなる。それによって、上記横軸１２３が錘１２５の作用によって回転する。その状態で、セット状態が解除されるような力が作用しても（つまり、図１４中棒体５を上方に引っ張るような力）、棒体１側の鍔部７が上記ストッパ軸１２７の先端に衝突しているので、棒体１の移動は規制されることになり、結局、セット状態の不用意な解除は防止されるものである。
【００２４】
以上の構成を基にその作用を説明する。
まず、図９及び図１０に示す非セット状態から、棒体５をコイルスプリング２３のスプリング力に抗して回転させて、鍔部７に取り付けられている作用ピン１１を第１通路２５側から第２通路２７側に移動させる。その状態で、棒体５を下方に押し下げる。
尚、この場合には棒体５の下端部を把持して下側から回転させると共に引き下げる方が都合が良い。
この棒体５の押し込み動作によって、棒体５に固着されている鍔部材７と鍔状作用部材１３も押し込まれていく。そして、鍔状作用部材１３の作用ピン１４が棒状ストッパ１５のストッパ部１７を通過した後に係合する。その状態を図１２に示す。
【００２５】
一方、棒体１はコイルスプリング１０１の付勢力によって自動的に上昇する。その様子を図１１に示す。そして、図１１及び図１２に示すように、棒体１と鍔部材７は元の状態に復帰しているが、鍔状作用部材１３は押し込められていて、その作用ピン１４が棒状ストッパ部材１５のストッパ部１７に係止している。それによって、コイルスプリング９が蓄勢された状態になっている。これがセット状態である。
【００２６】
上記セット状態で仕掛けを遠投する。その際、釣用自動合わせ装置が、図１４に示すように、天地逆向きとなるが、ストッパ手段１２１の作用によって、セット状態の不用意な解除は防止される。
【００２７】
仕掛けを遠投した後に、魚が餌を食ってハリス糸を介して道糸１０９が引っ張られると、金具１０５を介して棒体５も引っ張られる。棒体５が引っ張られることにより、その作用ピン１１が、棒状作用部材１９の作用ピン２１に作用し、それによって、棒状作用部材１９を下方に所定量だけ移動させる。この棒状作用部材１９の動によって、棒状作用部材１９のリング部２０が、棒状ストッパ部材１５の折曲部１８に作用して、棒状ストッパ部材１５を軸部１６を中心にして所定量だけ回動させる。この棒状ストッパ部材１５の回動によって、鍔状作用部材１３の作用ピン１４の棒状ストッパ部材１５のストッパ部１７に対する係合が解除される。上記鍔状作用部材１３の作用ピン１４の棒状ストッパ部材１５のストッパ部１７に対する係合が解除されることにより、棒体５と鍔状作用部材１３がコイルスプリング９のスプリング力によって勢い良く上方に復帰していく。それによって、魚の口に対する所望の合わせ動作が実行されるものである。
【００２８】
したがって、前記第１の実施の形態の場合と同様の作用・効果を奏することができるものである。
又、目印部材１０３の位置によってセット状態にあるのか否かを目視によって確認できる。
又、ストッパ手段１２１によって遠投時のセット状態の不用意な解除を防止することができる。
【００２９】
尚、本発明は前記第１及び第２の実施の形態に限定されるものではない。
まず、前記第１の実施の形態の場合には、釣用自動合わせ装置を投げ釣り時の遠投用錘として使用した例を示したが、遠投用の天秤に取り付けて使用することも考えられる。この場合には、遠投用錘は別途天秤に取り付けられるものである。
その他、図示した構成はあくまで一例である。
【００３０】
【発明の効果】
以上詳述したように本発明による釣用自動合わせ装置によると、すなわち、本願発明による釣用自動合わせ装置は、棒体を上記第２弾性手段の付勢力に抗して回転させて第１作用凸部を第２通路側に位置させ、棒体を上記第１弾性手段の付勢力に抗して他方向に向けて移動させることにより上記第１作用部材を他方向に移動させ、その第１係合部を上記ストッパ部材の第２係合部に係合させ、上記棒体を一方向に戻してセット状態とし、魚が餌を食うことによって上記棒体に引張力が作用すると、棒体はその第１作用凸部を第１通路を介して移動させながら他方向に移動し、上記第１作用凸部が上記第２作用部材の第２作用凸部に作用して第２作用部材を移動させ、それによって、ストッパ部材を移動させて上記第１係合部と第２係合部の係合を解除させ、上記第１作用部材と棒体を上記第１弾性手段の付勢力によって一方向に移動させることにより自動合わせを実行させるようにしたものであり、それによって、誤動作が極めて少ない高い信頼性の釣用自動合わせ装置とすることができる。
又、セットするための操作も簡単である。すなわち、棒体を把持して右方向に回転させると共に押し込めばよいからである。又、その後の棒体の戻し動作については、実行してもよいし、仮に、実行しなくても、遠投することにより自動的に行われるものである。
又、この実施の形態における釣用自動合わせ装置は、それ自体が遠投用の錘としても機能する構成になっており、よって、投げ釣り時に別途錘を用意する必要はなく、仕掛けに要するコストを低減させることができる。
又、仕掛け自体も簡単であるので、遠投時の抵抗も少なく、遠投距離をのばすことが可能になる等、使い勝手が向上するものである。
又、上記棒体を復帰用の第３弾性手段によってセット作業終了後自動的に復帰させるように構成した場合には、棒体を確実にもとの位置に復帰させることができ、それによって、自動合わせ動作の信頼性を高めることができる。
又、浮き釣り用の浮きとして使用する場合において、上記第１作用部材に連動する目印部材を取り付けた場合には、セット状態にあるのか否かを目視によって確認することができる。
又、浮き釣り用の浮きとして使用する場合において、セット状態で反転させて投げる時にセット状態が不用意に解除されることを防止するストッパ手段を設けた場合には、それによっても誤動作の発生を防止することができる。
【図面の簡単な説明】
【図１】本発明の第１の実施の形態を示す図で、非セット状態における釣用自動合わせ装置の構成を示す正面図である。
【図２】本発明の第１の実施の形態を示す図で、非セット状態における釣用自動合わせ装置の構成を示す側面図である。
【図３】本発明の第１の実施の形態を示す図で、セット時であって棒体が押し込まれた状態における釣用自動合わせ装置の構成を示す正面図である。
【図４】本発明の第１の実施の形態を示す図で、セット時であって棒体が押し込まれた状態における釣用自動合わせ装置の構成を示す側面図である。
【図５】本発明の第１の実施の形態を示す図で、セット時であって棒体を引き戻した状態における釣用自動合わせ装置の構成を示す正面図である。
【図６】本発明の第１の実施の形態を示す図で、セット時であって棒体を引き戻した状態における釣用自動合わせ装置の構成を示す側面図である。
【図７】本発明の第１の実施の形態を示す図で、魚が餌を食って引っ張った状態における釣用自動合わせ装置の構成を示す正面図である。
【図８】本発明の第１の実施の形態を示す図で、魚が餌を食って引っ張った状態における釣用自動合わせ装置の構成を示す側面図である。
【図９】本発明の第２の実施の形態を示す図で、非セット状態における釣用自動合わせ装置の構成を示す正面図である。
【図１０】本発明の第２の実施の形態を示す図で、非セット状態における釣用自動合わせ装置の構成を示す側面図である。
【図１１】本発明の第２の実施の形態を示す図で、セット状態における釣用自動合わせ装置の構成を示す正面図である。
【図１２】本発明の第２の実施の形態を示す図で、セット状態における釣用自動合わせ装置の構成を示す側面図である。
【図１３】本発明の第２の実施の形態を示す図で、セット状態における釣用自動合わせ装置の構成を示す背面図である。
【図１４】本発明の第２の実施の形態を示す図で、セット状態であって遠投時における釣用自動合わせ装置の構成を示す背面図である。
【符号の説明】
１  枠体
３  中空部
５  棒体
７  鍔部
９  コイルスプリング（第２弾性手段）
１１  作用ピン（第１作用凸部）
１３  鍔状作用部材（第１作用部材）
１４  作用ピン（第１係合部）
１５  ストッパ部材
１７  ストッパ部（第２係合部）
１８  折曲部
１９  作用部材（第２作用部材）
２０  リング部
２１  作用ピン（第２作用凸部）
２３  コイルスプリング（第２弾性手段）
１０１  コイルスプリング（第３弾性手段）
１０３  目印部材
１２１  ストッパ手段
【図１】
2004313106.tif 000003
【図２】
2004313106.tif 000004
【図３】
2004313106.tif 000005
【図４】
2004313106.tif 000006
【図５】
2004313106.tif 000007
【図６】
2004313106.tif 000008
【図７】
2004313106.tif 000009
【図８】
2004313106.tif 000010
【図９】
2004313106.tif 000011
【図１０】
2004313106.tif 000012
【図１１】
2004313106.tif 000013
【図１２】
2004313106.tif 000014
【図１３】
2004313106.tif 000015
【図１４】
2004313106.tif 000016